(57)【要約】【課題】ドット状の複数の発光部間の隙間に起因して記録媒体に露光不足領域が筋状に発生することを適切に防止し、記録画像の質を高めることが可能な発光プリントヘッドを提供する。【解決手段】主走査方向ｘに列状に並んだドット状の複数の発光部３１を備えている、発光プリントヘッドＡ１であって、複数の発光部３１の主走査方向ｘに隣り合うものは、それらの一部分どうしが主走査方向ｘにおいてオーバラップした構成とされている。【選択図】  図５
2006305853.tif 000002
【特許請求の範囲】
【請求項１】
主走査方向に列状に並んだドット状の複数の発光部を備えている、発光プリントヘッドであって、
上記複数の発光部の主走査方向に隣り合うものは、それらの一部分どうしが主走査方向においてオーバラップした構成とされていることを特徴とする、発光プリントヘッド。
【請求項２】
基板上に形成された陽極および陰極と、これら陽極および陰極間に形成された発光物質を含む有機層と、を備えており、この有機層により上記複数の発光部が形成され、有機ＥＬプリントヘッドとして構成されている、請求項１に記載の発光プリントヘッド。
【請求項３】
上記陽極および陰極の間に介在する絶縁膜を備えており、
この絶縁膜には、上記有機層が進入する複数の開口部が設けられ、かつこれら複数の開口部によって上記複数の発光部の形状および配列が規定されている、請求項２に記載の発光プリントヘッド。
【請求項４】
光の透過と不透過とを選択可能であり、かつ主走査方向に列状に並んだ複数の個別シャッタ部を有する液晶シャッタと、上記複数の個別シャッタ部に光を入射させる光源と、を備えており、
上記複数の個別シャッタ部が、上記複数の発光部とされている、請求項１に記載の発光プリントヘッド。
【請求項５】
上記複数の発光部は、主走査方向に隣り合うものどうしの向きが反対とされた台形状もしくは三角状、主走査方向および副走査方向に対して一定角度で傾いた平行四辺形状もしくは長円状、または主走査方向の一端側が突出し、かつ他端側が窪んだ略くの字状である、請求項１ないし４のいずれかに記載の発光プリントヘッド。
【請求項６】
上記複数の発光部は、千鳥配列に設けられている、請求項１ないし４のいずれかに記載の発光プリントヘッド。
【請求項７】
基板上に第１の電極層を形成する工程と、
上記第１の電極層上に、複数の開口部が列状に並んだ絶縁膜を形成する工程と、
上記各開口部を埋めるようにして発光物質を含む有機層を形成する工程と、
上記有機層を覆うように第２の電極層を形成する工程と、
を有している、発光プリントヘッドの製造方法であって、
上記絶縁膜を形成する工程では、上記複数の開口部の上記列方向に隣り合うものの一部分どうしを上記列方向においてオーバラップさせるように形成することを特徴とする  発光プリントヘッドの製造方法。
【発明の詳細な説明】
【技術分野】
【０００１】
本発明は、感光性記録媒体に画像を形成するのに使用される発光プリントヘッド、およびその製造方法に関する。
【背景技術】
【０００２】
従来、この種の発光プリントヘッドの一例としては、たとえば図１５に示すような有機ＥＬプリントヘッドがある（たとえば、特許文献１を参照）。同図に示す有機ＥＬプリントヘッド９は、ケース９０に、有機ＥＬプリントヘッド基板９１、レンズアレイ９２、および透明カバー９３が組み付けられた構造を有している。有機ＥＬプリントヘッド基板９１は、赤色、緑色、および青色の光をそれぞれ個々に発する複数の有機ＥＬ発光部９８（９８Ｒ，９８Ｇ，９８Ｂ）を有している。これら複数の有機ＥＬ発光部９８Ｒ，９８Ｇ，９８Ｂのそれぞれは、たとえば図１６に模式的に示すように、主走査方向ｘに一定間隔で列状に並んだ平面視矩形のドット状である。
【０００３】
図１５に示した有機ＥＬプリントヘッド９においては、複数の有機ＥＬ発光部９８から発せられた光がレンズアレイ９２を透過し、透明カバー９３上の感光紙Ｋの表面の３つのライン状領域９４Ｒ，９４Ｇ，９４Ｂに集束して照射される。感光紙Ｋは、プラテンローラＰにより副走査方向に搬送される。このような動作により、感光紙Ｋは露光され、この感光紙Ｋには所望の画像を形成することが可能である。
【０００４】
しかしながら、前記従来技術においては、次に述べるように、改善すべき点があった。
【０００５】
すなわち、複数の有機ＥＬ発光部９８（９８Ｒ，９８Ｇ，９８Ｂ）は、図１６に示したとおり、主走査方向ｘに並んでいるが、この主走査方向ｘにおいて、それらの間には隙間Ｓが形成されている。この隙間Ｓは、互いに隣り合う有機ＥＬ発光部９８どうし、およびこれらに付属する電極（図示略）どうしが互いに導通しないようにするために形成されるものである。この隙間Ｓの大きさは、製造技術のレベルに左右され、この隙間Ｓを小さくすることは難しい。このため、それら複数の有機ＥＬ発光部９８を感光紙Ｋに対して副走査方向ｙに相対移動させながら露光を行なうと、図１７に示すように、感光紙Ｋには、副走査方向に延びる複数条の筋Ｓ'が発生する（クロスハッチング部分は感光部分である）。この筋Ｓ’は、前記の隙間Ｓに対応して形成された露光不足の部分である。このような筋Ｓ’が発生したのでは、記録画像の質が悪化することとなる。したがって、このような筋Ｓ’の発生が適切に防止されることが望まれる。
【０００６】
なお、上記したような不具合は、有機ＥＬプリントヘッドに限らず、たとえば液晶シャッタを用いることによって光の透過、不透過を制御し、感光性記録媒体に光を照射させるタイプのプリントヘッドにおいても同様に生じる。
【０００７】
【特許文献１】特開２００３−９４７２９号公報
【発明の開示】
【発明が解決しようとする課題】
【０００８】
本発明は、このような事情のもとで考え出されたものであって、ドット状の複数の発光部間の隙間に起因して記録媒体に露光不足領域が筋状に発生することを適切に防止し、記録画像の質を高めることが可能な発光プリントヘッド、およびそのような発光プリントヘッドを好適に製造するための製造方法を提供することを、その課題としている。
【課題を解決するための手段】
【０００９】
本発明は、上記の課題を解決するため、次の技術的手段を講じている。
【００１０】
本発明の第１の側面により提供される発光プリントヘッドは、主走査方向に列状に並んだドット状の複数の発光部を備えている、発光プリントヘッドであって、上記複数の発光部の主走査方向に隣り合うものは、それらの一部分どうしが主走査方向においてオーバラップした構成とされていることを特徴としている。
【００１１】
このような構成によれば、複数の発光部の主走査方向に隣り合うものどうしは、それらの一部分が同方向において互いにオーバラップしているために、この発光プリントヘッドと感光性記録媒体とを副走査方向に相対移動させながらこの発光プリントヘッドから感光性記録媒体に光を照射させていった場合に、この感光性記録媒体上には露光不足領域が副走査方向に延びた筋状に発生することはない。したがって、従来技術よりも画質の良好な記録画像を得ることが可能となる。
【００１２】
本発明の好ましい実施の形態においては、基板上に形成された陽極および陰極と、これら陽極および陰極間に形成された発光物質を含む有機層と、を備えており、この有機層により上記複数の発光部が形成され、有機ＥＬプリントヘッドとして構成されている。また、本発明は、このような構成に代えて、光の透過と不透過とを選択可能であり、かつ主走査方向に列状に並んだ複数の個別シャッタ部を有する液晶シャッタと、上記複数の個別シャッタ部に光を入射させる光源と、を備えており、上記複数の個別シャッタ部が、上記複数の発光部とされている構成とすることもできる。
【００１３】
本発明の好ましい実施の形態においては、上記陽極および陰極の間に介在する絶縁膜を備えており、この絶縁膜には、上記有機層が進入する複数の開口部が設けられ、かつこれら複数の開口部によって上記複数の発光部の形状および配列が規定されている構成とすることができる。
【００１４】
このような構成によれば、絶縁膜の開口部によって発光部の形状および配列を規定することができるために、複数の発光部をオーバラップさせた形態に形成する作業が容易化される。
【００１５】
本発明の好ましい実施の形態においては、上記複数の発光部は、主走査方向に隣り合うものどうしの向きが反対とされた台形状もしくは三角状、主走査方向および副走査方向に対して一定角度で傾いた平行四辺形状もしくは長円状、または主走査方向の一端側が突出し、かつ他端側が窪んだ略くの字状である。
【００１６】
このような構成によれば、ドット状の発光部を比較的単純な一定の形状にしつつ、それらを主走査方向において好適にオーバラップさせることが可能であり、その製造を比較的容易にすることができる。
【００１７】
本発明の好ましい実施の形態においては、上記複数の発光部は、千鳥配列に設けられている。
【００１８】
このような構成によれば、各発光部の形状が特定の形状に限定されることはなく、任意の形状に形成しつつ、隣り合う発光部どうしをオーバラップさせることができる。
【００１９】
本発明の第２の側面により提供される発光プリントヘッドの製造方法は、基板上に第１の電極層を形成する工程と、上記第１の電極層上に、複数の開口部が列状に並んだ絶縁膜を形成する工程と、上記各開口部を埋めるようにして発光物質を含む有機層を形成する工程と、上記有機層を覆うように第２の電極層を形成する工程と、を有している、発光プリントヘッドの製造方法であって、上記絶縁膜を形成する工程では、上記複数の開口部の上記列方向に隣り合うものの一部分どうしを上記列方向においてオーバラップさせるように形成することを特徴としている。
【００２０】
このような構成によれば、有機層のうち、第１および第２の電極層によって実質的に挟まれた部分を有機ＥＬ発光部とする発光プリントヘッドが製造されるが、上記有機ＥＬ発光部の形状や配列は、上記絶縁膜の複数の開口部によって規定される。その一方、これら複数の開口部は、列方向において隣り合うものの一部分どうしが、同方向においてオーバラップしているために、上記有機ＥＬ発光部もそれと同様にオーバラップした形状および配列となる。したがって、本発明の第１の側面により提供される発光プリントヘッドを適切に製造することができる。
【００２１】
本発明のその他の特徴および利点は、添付図面を参照して以下に行なう発明の実施の形態の説明から、より明らかになるであろう。
【発明を実施するための最良の形態】
【００２２】
以下、本発明の好ましい実施の形態について、図面を参照して具体的に説明する。
【００２３】
図１〜図６は、本発明を有機ＥＬプリントヘッドに適用した場合の一例を示している。本実施形態については、理解を容易にするため、モノクロ用のものを一例として説明し、カラー用のものについては後述する。本実施形態の有機ＥＬプリントヘッドＡ１は、感光紙Ｋに対して、白色光などの光を主走査方向ｘに延びるライン状に出射できるように構成されている。有機ＥＬプリントヘッドＡ１は、図２および図３に示すように、ケース２、基板３、およびレンズアレイ４を備えている。
【００２４】
ケース２は、基板３とレンズアレイ４との位置関係を規定してこれらを組み付けるためのものである。このケース２は、たとえば黒色の樹脂製である。基板３は、ケース２の上部開口部を塞ぐようにしてケース２に組み付けられている。この基板３は、主走査方向ｘに延びた長矩形の略平板状の透明基板であり、その片面上には、後述する複数の有機ＥＬ発光部３１やその他の複数の層を含む積層部Ｂ１が設けられている。この積層部Ｂ１は、基板３上に取り付けられた封止ケース８により封止されて保護されている。レンズアレイ４は、複数のロッドレンズ４０が主走査方向ｘに並べられて樹脂製のレンズホルダ４１に保持されたものであり、ケース２の下部に嵌入するなどして取り付けられている。複数の有機ＥＬ発光部３１から基板３を透過して進行してきた光は、これのレンズアレイ４を透過することにより感光紙Ｋの表面上に集束する。
【００２５】
図５および図６に示すように、基板３上に設けられた積層部Ｂ１は、ＩＴＯなどにより形成された複数の透明な陽極３５と、フォトリソ用のレジスト材などからなる絶縁膜３８と、電場が付与されることによってエレクトロルミネッセントにより自発光可能な発光層（図示略）を含む有機層３６と、アルミニウムなどの光の反射が可能な金属製の陰極３７とを有している。複数の陽極３５は、副走査方向ｙに延びる帯状であり、かつ主走査方向ｘに間隔を隔てて複数並ぶようにして設けられている。これに対し、絶縁膜３８、有機層３６、および陰極３７は、複数の陽極３５に対して交差するように主走査方向ｘに延びる帯状である。ただし、絶縁膜３８は、複数の陽極３５のそれぞれの直上に位置する複数の開口部３８ａを有している。有機層３６の複数箇所は、それら複数の開口部３８ａ内に進入しており、有機層３６は、それら開口部３８ａ内に進入した部分のみが陽極３５に接触している。有機層３６のそれ以外の部分は、陽極３５に接触していない。このため、複数の陽極３５と陰極３７との間に通電を行なわせた場合、有機層３６は、各開口部３８ａ内に進入している部分、およびその直上の部分のみが発光することとなり、この部分が有機ＥＬ発光部３１となっている。なお、有機層３６は、そのような有機ＥＬ発光部３１の自発光効果を生じさせ、また促進させるための部分として、ホール注入層、ホール輸送層、電子輸送層、および電子注入層を有している。ただし、これらの層の一部については省略可能であり、これらの層をどのように組み合わせるかは任意に選択できる事項である。有機ＥＬ発光部３１から発せられた光は、複数の陰極３７によって下向きに反射されて透明な陽極３５を透過し、基板３０の光出射面３０ａから下向きに出射する。
【００２６】
図７は、図６に示した断面構造とは異なり、有機層３６が連続した帯状には形成されておらず、絶縁膜３８の開口部３８ａを埋めるようにしてそれらの内部のみに設けられている。本発明においては、このような構成にしてもよい。この構成の場合には、開口部３８ａを埋めるようにして複数箇所に点在する有機層３６のそれぞれが、有機ＥＬ発光部３１となる。
【００２７】
複数の有機ＥＬ発光部３１は、主走査方向ｘに列状に並んで設けられており、その具体的な平面視形状および配列は、たとえば図４に示すようになっている。すなわち、複数の有機ＥＬ発光部３１は、いずれも形状およびサイズが同一に揃えられた台形状である。ただし、それら複数の有機ＥＬ発光部３１の向きは同一に揃えられておらず、下底よりも上底が長い台形状の有機ＥＬ発光部３１（３１ａ）と、これとは反対に下底よりも上底が短い台形状の有機ＥＬ発光部３１（３１ｂ）とが交互に配置されている。この構成により、互いに隣り合う有機ＥＬ発光部３１のエッジ部分どうしは、主走査方向ｘに適当な寸法ｓ１でオーバラップしている。
【００２８】
次に、上記した複数の有機ＥＬ発光部３１を形成する方法の一例について説明する。
【００２９】
まず、図８に示すように、基板３の片面上に、複数の陽極３５を形成する。これら複数の陽極３５は、既述したとおり、副走査方向ｙに延びる帯状であるが、それらの一部分については、三角状のはみ出し部分を有するパッド部３５ａとして形成する。このパッド部３５ａは、台形状の有機ＥＬ発光部３１を形成するためのベースとなる部分であり、その形状および配列は、図４に示した有機ＥＬ発光部３１の形状および配列と同様である。互いに隣り合うパッド部３５ａのエッジ部どうしも主走査方向ｘにオーバラップしている。ただし、このパッド部３５ａ上には、その後の工程において、絶縁膜３８の開口部３８ａが形成されるため、このパッド部３５ａのサイズは、開口部３８ａや有機ＥＬ発光部３１の予定サイズよりも大きなサイズとしておく。このような複数の陽極３５は、ＩＴＯなどの透明導電性材料を公知の成膜方法（スパッタリング、蒸着、ＣＶＤなど)を用いて基板３０上に成膜させてから不要部分をエッチング除去したり、あるいは不要部分に予めマスキングを行なった状態で基板３０上に成膜を行なわせるといった手法を用いて形成することが可能である。
【００３０】
次いで、図９に示すように、絶縁膜３８を、複数の陽極３５のパッド部３５ａ上に積層させるようにして主走査方向ｘに延びる帯状に形成する。ただし、この絶縁膜３８には、台形状の複数の開口部３８ａを設ける。これら複数の開口部３８ａは、複数の有機ＥＬ発光部３１の形状および配列を規定するものである。したがって、これら開口部３８ａは、各パッド部３５ａ上に位置し、しかもその形状および配列は、図４に示した有機ＥＬ発光部３１の形状および配列と同様な構成に設ける。各開口部３８ａは、台形状であり、また隣り合うもののエッジ部どうしは、主走査方向ｘにオーバラップしている。なお、絶縁膜３８を、フォトレジスト材を用いて構成すれば、露光および現像処理の手法により上記した構成に簡易に形成することが可能である。
【００３１】
その後、図１０に示すように、有機層３６を、絶縁膜３８上に積層させるようにして主走査方向ｘに延びる帯状に形成する。その際、この有機層３６の複数箇所を絶縁膜３８の開口部３８ａ内に進入させる。有機層３６のうち、それら複数の開口部３８ａ内に進入した部分、およびその直上の部分は、図４に示した構成の有機ＥＬ発光部３１となる。有機層３６の形成後には、陰極３７を有機層３６上に積層させるようにして主走査方向ｘに延びる帯状に形成する。有機層３６や陰極３７の形成も、陽極３５の形成方法と同様な手法を用いて行なうことができる。
【００３２】
次に、有機ＥＬプリントヘッドＡ１の作用について説明する。
【００３３】
まず、図１に示すように、感光紙Ｋに画像を形成するには、この感光紙Ｋと有機ＥＬプリントヘッドＡ１とを対向させて副走査方向ｙに相対移動させながら、感光紙Ｋ上に主走査方向ｘに延びるライン状の光を照射させる。複数の陽極３５には、駆動ＩＣ（図示略）が接続されており、この駆動ＩＣを利用して複数の陽極３５と陰極３７との間への通電が制御されるようになっている。感光紙Ｋと有機ＥＬプリントヘッドＡ１との副走査方向ｙへの相対移動は、１ライン分の光の照射が行なわれる都度実行され、このことにより感光紙Ｋの面状領域に露光がなされる。感光紙Ｋは、露光後に現像液などを用いて現像処理されることにより、上記露光に対応した画像を顕在化させる。
【００３４】
複数の有機ＥＬ発光部３１は、図４を参照して説明したとおり、互いに隣り合うもののエッジ部どうしが主走査方向ｘにオーバラップしている。これに対し、光の照射により形成される感光紙Ｋ上の露光ドットは、複数の有機ＥＬ発光部３１と同様な形状および配列となる。したがって、感光紙Ｋ上に形成される複数の露光ドットも、主走査方向ｘに隣り合うもののエッジどうしは主走査方向ｘにオーバラップすることとなり、それら露光ドット間に露光不足の隙間が副走査方向ｙに延びた状態には形成されないこととなる。したがって、感光紙Ｋに対して副走査方向ｙに露光を進めていった場合においても、露光ドット間に、露光不足の領域が長い筋状に現れることは無い。その結果、プリント画像の質が向上する。
【００３５】
上記実施形態では、モノクロ用について説明したが、カラー用の場合には、たとえば図１１に示すように、複数の有機ＥＬ発光部３１を計３列に設ければよい。もちろん、これに伴わせて陰極を３列に設けるといった必要はある。３列の有機ＥＬ発光部３１は、赤色光、緑色光、および青色光をそれぞれ個々に発する有機ＥＬ発光部３１（３１Ｒ，３１Ｇ，３１Ｂ）がそれぞれ列状に並んだ構成とされている。有機層３６が含有する発光物質の成分を相違させることにより、発光色を上記した色彩にすることが可能である。各列の有機ＥＬ発光部３１の形状および配列は、図４に示したものと同一でよい。カラー用に構成し得る点は、後述する他の実施形態についても同様である。
【００３６】
図１２（ａ）〜（ｅ）は、複数の有機ＥＬ発光部３１の形状および配列の他の例を示している。
【００３７】
図１２（ａ）においては、複数の有機ＥＬ発光部３１のそれぞれが平面視三角状に形成されており、かつ互いに隣り合うものどうしが逆向きとされている。このような構成においても、各有機ＥＬ発光部３１を台形状に形成した先の実施形態と同様に、隣り合う有機ＥＬ発光部３１の一部分どうしを主走査方向ｘにおいて適切にオーバラップさせることが可能である。
【００３８】
図１２（ｂ），（ｃ）においては、複数の有機ＥＬ発光部３１が一定方向に傾斜した平行四辺形状、または長円状に形成されている。このような構成によれば、複数の有機ＥＬ発光部３１の形状および向きを同一に揃え、しかも単純な形状に形成しつつ、隣り合う有機ＥＬ発光部３１の一部分どうしを主走査方向ｘにオーバラップさせることができる。したがって、製造の容易化を図るのに好適である。
【００３９】
図１２（ｄ）においては、複数の有機ＥＬ発光部３１のそれぞれが、主走査方向ｘの一端側が一定方向に突出し、かつ他端側が上記一定方向に窪んだ平面視くの字状に形成されている。このような構成においても、隣り合う２つの有機ＥＬ発光部３１の一方の窪んだ部分に対して他方の突出部分が進入するようにして、これらの部分を主走査方向ｘにおいてオーバラップさせることが可能である。
【００４０】
図１２（ｅ）においては、複数の有機ＥＬ発光部３１が２列の千鳥状に配列されている。このような構成においても、１列目と２列目との有機ＥＬ発光部３１どうしが主走査方向ｘにオーバラップすることとなる。同図においては、各有機ＥＬ発光部３１を円形状に示しているが、千鳥状の配列にした場合、各有機ＥＬ発光部３１の形状は、たとえば矩形状などの種々の形状に形成することが可能である。
【００４１】
図１２に示した実施形態から理解されるように、複数の有機ＥＬ発光部３１の具体的な形状や配列は、種々に変更可能である。また、隣り合う有機ＥＬ発光部３１のオーバラップ量は、さほど大きくする必要はなく、図１２に示すような構成によれば、そのような要請に適切に応え得ることとなる。もちろん、本発明においては、上記した実施形態以外の形状および配列にすることができる。
【００４２】
また、先に述べた実施形態の有機ＥＬプリントヘッドＡ１においては、有機ＥＬ発光部３１の形状および配列が絶縁膜３８の開口部３８ａにより規定されているが、これに代えて、たとえば陽極３５のパッド部３５ａの形状や配列により有機ＥＬ発光部３１の形状や配列を規定することも可能である。また、陰極３７に対して陽極３５のパッド部３５ａに相当するものを設け、この部分によって有機ＥＬ発光部３１の形状や配列を規定するようにしてもよい。
【００４３】
図１３および図１４は、本発明をいわゆる液晶シャタ式の発光プリントヘッドに適用した場合の一例を示している。
【００４４】
本実施形態の発光プリントヘッドＡ２は、光源５、液晶シャッタ６、およびレンズアレイ４を備えている。光源５は、いわゆるライン光源であり、液晶シャッタ６に対して主走査方向ｘ（図１３の紙面と直交する方向）に延びるライン状に光を照射するものである。この光源５としては、たとえば冷陰極管を用いることが可能であるが、これ以外としてたとえば複数のＬＥＤをライン状に並べたもの、あるいは１または複数のＬＥＤから発せられた光を主走査方向ｘに延びるバー状の透明部材内に入射させてからこの透明部材の主走査方向ｘに延びる一面からライン状に光を出射させるようにしたものなどを用いることができる。
【００４５】
液晶シャッタ６は、液晶６１を封入した一対の透明基板６２ａ，６２ｂを有する液晶パネルを用いて構成されており、主走査方向ｘに並んだ複数の個別シャッタ部６０を有している。液晶シャッタ６の駆動方式は、アクティブ方式であり、複数の個別シャッタ部６０は、一対の透明基板６２ａ，６２ｂの対向面に設けられた第１の透明電極６３ａおよび複数の第２の透明電極６３ｂと、液晶６１のうち、それら第１および第２の透明電極６３ａ，６３ｂに挟まれた部分とを含んで構成されている。第１の透明電極６３ａは、いわゆるコモン電極であり、主走査方向ｘに延びる帯状である。複数の第２の透明電極６３ｂは、いわゆる個別電極であり、主走査方向ｘに列状に並んでおり、その形状は、後述するようにたとえば台形状である。個別シャッタ部６０は、第１および第２の透明電極６３ａ，６３ｂに挟まれた液晶部分に、電圧印加がなされるか否かにより、光源５から進行してきた光をこの液晶シャッタ６の厚み方向に透過させる状態と、透過させない状態とに切り換え可能である。光源５から発せられて個別シャッタ部６０を透過した光は、その後レンズアレイ４を透過して感光紙Ｋ上に集束する。したがって、個別シャッタ部６０は、レンズアレイ４に光を入射させる発光部としての役割を果たすこととなり、この個別シャッタ部６０は、本発明でいう発光部の具体例に相当する。
【００４６】
図１４によく表われているように、複数の第２の透明電極６３ｂは、いずれも台形状に形成されており、かつ隣り合うものどうしの向きが反対とされていることにより、それらのエッジ部どうしは、主走査方向ｘにおいて適当な寸法ｓ２でオーバラップしている。なお、複数の第２の透明電極６３ｂには、ＴＦＴスイッチ６４、ゲート線６５ａ、およびソース線６５ｂが接続されている。第１および第２の透明電極６３ｂ間に電圧を印加すると、液晶６１は、この第２の透明電極６３ｂの正面領域（図１３では直上領域）が光を透過させる状態となる。したがって、個別シャッタ部６０が光を透過させて発光部となる場合、この発光部の形状および配列は、図１４に示した第２の透明電極６３ｂの形状および配列と同様となる。
【００４７】
この発光プリントヘッドＡ２においては、複数の個別シャッタ部６０を光透過状態とし、この部分を発光部として機能させると、感熱紙Ｋ上に形成される複数の露光ドットは、隣り合うものの一部分どうしが主走査方向ｘにおいてオーバラップしたものとなる。したがって、先に述べた有機ＥＬプリントヘッドＡ１の場合と同様に、感熱紙Ｋ上に記録される画像は、露光不足領域が副走査方向ｙに筋状に延びた部分を有しないものとなり、その画質を良好なものにすることが可能である。複数の第２の透明電極６３ｂの形状および配列は、たとえば図１２（ａ）〜（ｅ）に示したような構成にすることもできる。
【００４８】
本発明は、上述した実施形態の内容に限定されない。本発明に係る発光プリントヘッドの各部の具体的な構成は、種々に設計変更自在である。
【図面の簡単な説明】
【００４９】
【図１】本発明が適用された有機ＥＬプリントヘッドの一例を示す全体斜視図である。
【図２】図１に示す有機ＥＬプリントヘッドの分解斜視図である。
【図３】図１のIII−III線に沿う断面図である。
【図４】図１に示す有機ＥＬプリントヘッドにおける複数の有機ＥＬ発光部の構成を模式的に示す要部説明図である。
【図５】図１に示す有機ＥＬプリントヘッドの要部断面斜視図である。
【図６】図５のVI−VI断面図である。
【図７】有機ＥＬプリントヘッドの他の構成例を示す要部断面図である。
【図８】（ａ）は、図１に示す有機ＥＬプリントヘッドの製造方法において複数の陽極を形成する工程を示す要部断面斜視図であり、（ｂ）は、（ａ）のVIII−VIII断面図である。
【図９】（ａ）は、図１に示す有機ＥＬプリントヘッドの製造方法において絶縁膜を形成する工程を示す要部断面斜視図であり、（ｂ）は、（ａ）のIX−IX断面図である。
【図１０】（ａ）は、図１に示す有機ＥＬプリントヘッドの製造方法において有機層を形成する工程を示す要部断面斜視図であり、（ｂ）は、（ａ）のＸ−Ｘ断面図である。
【図１１】複数の有機ＥＬ発光部をカラー用に３列に設ける一例を示す模式図である。
【図１２】（ａ）〜（ｅ）は、複数の有機ＥＬ発光部の形状および配列の他の例を模式的に示す説明図である。
【図１３】本発明が適用された発光プリントヘッドの他の例を示す概略断面図である。
【図１４】図１３に示す発光プリントヘッドにおける電極の構成の例を示す要部平面図である。
【図１５】従来技術の一例を示す断面図である。
【図１６】従来技術における有機ＥＬ発光部の構成例を示す説明図である。
【図１７】従来技術における記録画像の例を模式的に示す説明図である。
【符号の説明】
【００５０】
Ａ１        有機ＥＬプリントヘッド（発光プリントヘッド）
Ａ２        発光プリントヘッド
ｘ          主走査方向
ｙ          副走査方向
３          基板
５          光源
６          液晶シャッタ
３１        有機ＥＬ発光部（発光部）
３５        陽極
３６        有機層
３７        陰極
３８        絶縁膜
３８ａ      開口部（絶縁膜の）
６０        個別シャッタ部（発光部）
【図１】
2006305853.tif 000003
【図２】
2006305853.tif 000004
【図３】
2006305853.tif 000005
【図４】
2006305853.tif 000006
【図５】
2006305853.tif 000007
【図６】
2006305853.tif 000008
【図７】
2006305853.tif 000009
【図８】
2006305853.tif 000010
【図９】
2006305853.tif 000011
【図１０】
2006305853.tif 000012
【図１１】
2006305853.tif 000013
【図１２】
2006305853.tif 000014
【図１３】
2006305853.tif 000015
【図１４】
2006305853.tif 000016
【図１５】
2006305853.tif 000017
【図１６】
2006305853.tif 000018
【図１７】
2006305853.tif 000019